【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
第１のトランジスタ乃至第１４のトランジスタを有し、
前記第１のトランジスタのソース又はドレインの一方は、第１の配線に電気的に接続され、
前記第１のトランジスタのソース又はドレインの他方は、第２の配線に電気的に接続され、
前記第２のトランジスタのソース又はドレインの一方は、前記第１の配線に電気的に接続され、
前記第２のトランジスタのソース又はドレインの他方は、第３の配線に電気的に接続され、
前記第３のトランジスタのソース又はドレインの一方は、前記第１のトランジスタのゲートに電気的に接続され、
前記第３のトランジスタのソース又はドレインの他方は、第４の配線に電気的に接続され、
前記第４のトランジスタのソース又はドレインの一方は、前記第４の配線に電気的に接続され、
前記第４のトランジスタのソース又はドレインの他方は、第５の配線に電気的に接続され、
前記第５のトランジスタのソース又はドレインの一方は、前記第４の配線に電気的に接続され、
前記第５のトランジスタのソース又はドレインの他方は、前記第３の配線に電気的に接続され、
前記第６のトランジスタのソース又はドレインの一方は、前記第４のトランジスタのゲートに電気的に接続され、
前記第６のトランジスタのソース又はドレインの他方は、第６の配線に電気的に接続され、
前記第７のトランジスタのソース又はドレインの一方は、前記第２のトランジスタのゲートに電気的に接続され、
前記第７のトランジスタのソース又はドレインの他方は、第７の配線に電気的に接続され、
前記第８のトランジスタのソース又はドレインの一方は、前記第２のトランジスタのゲートに電気的に接続され、
前記第８のトランジスタのソース又はドレインの他方は、前記第３の配線に電気的に接続され、
前記第９のトランジスタのソース又はドレインの一方は、前記第７のトランジスタのゲートに電気的に接続され、
前記第９のトランジスタのソース又はドレインの他方は、前記第７の配線に電気的に接続され、
前記第１０のトランジスタのソース又はドレインの一方は、前記第７のトランジスタのゲートに電気的に接続され、
前記第１０のトランジスタのソース又はドレインの他方は、前記第３の配線に電気的に接続され、
前記第８のトランジスタのゲートは、前記第１０のトランジスタのゲートに電気的に接続され、
前記第１１のトランジスタのソース又はドレインの一方は、前記第５のトランジスタのゲートに電気的に接続され、
前記第１１のトランジスタのソース又はドレインの他方は、前記第７の配線に電気的に接続され、
前記第１２のトランジスタのソース又はドレインの一方は、前記第５のトランジスタのゲートに電気的に接続され、
前記第１２のトランジスタのソース又はドレインの他方は、前記第３の配線に電気的に接続され、
前記第１３のトランジスタのソース又はドレインの一方は、前記第１１のトランジスタのゲートに電気的に接続され、
前記第１３のトランジスタのソース又はドレインの他方は、前記第７の配線に電気的に接続され、
前記第１４のトランジスタのソース又はドレインの一方は、前記第１１のトランジスタのゲートに電気的に接続され、
前記第１４のトランジスタのソース又はドレインの他方は、前記第３の配線に電気的に接続され、
前記第１２のトランジスタのゲートは、前記第１４のトランジスタのゲートに電気的に接続され、
前記第１のトランジスタ乃至前記第１４のトランジスタは、同一のチャネル型である半導体装置。
【請求項２】
第１のトランジスタ乃至第１４のトランジスタを有し、
前記第１のトランジスタのソース又はドレインの一方は、第１の配線に電気的に接続され、
前記第１のトランジスタのソース又はドレインの他方は、第２の配線に電気的に接続され、
前記第２のトランジスタのソース又はドレインの一方は、前記第１の配線に電気的に接続され、
前記第２のトランジスタのソース又はドレインの他方は、第３の配線に電気的に接続され、
前記第３のトランジスタのソース又はドレインの一方は、前記第１のトランジスタのゲートに電気的に接続され、
前記第３のトランジスタのソース又はドレインの他方は、第４の配線に電気的に接続され、
前記第４のトランジスタのソース又はドレインの一方は、前記第４の配線に電気的に接続され、
前記第４のトランジスタのソース又はドレインの他方は、第５の配線に電気的に接続され、
前記第５のトランジスタのソース又はドレインの一方は、前記第４の配線に電気的に接続され、
前記第５のトランジスタのソース又はドレインの他方は、前記第３の配線に電気的に接続され、
前記第６のトランジスタのソース又はドレインの一方は、前記第４のトランジスタのゲートに電気的に接続され、
前記第６のトランジスタのソース又はドレインの他方は、第６の配線に電気的に接続され、
前記第７のトランジスタのソース又はドレインの一方は、前記第２のトランジスタのゲートに電気的に接続され、
前記第７のトランジスタのソース又はドレインの他方は、第７の配線に電気的に接続され、
前記第８のトランジスタのソース又はドレインの一方は、前記第２のトランジスタのゲートに電気的に接続され、
前記第８のトランジスタのソース又はドレインの他方は、前記第３の配線に電気的に接続され、
前記第９のトランジスタのソース又はドレインの一方は、前記第７のトランジスタのゲートに電気的に接続され、
前記第９のトランジスタのソース又はドレインの他方は、前記第７の配線に電気的に接続され、
前記第１０のトランジスタのソース又はドレインの一方は、前記第７のトランジスタのゲートに電気的に接続され、
前記第１０のトランジスタのソース又はドレインの他方は、前記第３の配線に電気的に接続され、
前記第８のトランジスタのゲートは、前記第１０のトランジスタのゲートに電気的に接続され、
前記第１１のトランジスタのソース又はドレインの一方は、前記第５のトランジスタのゲートに電気的に接続され、
前記第１１のトランジスタのソース又はドレインの他方は、前記第７の配線に電気的に接続され、
前記第１２のトランジスタのソース又はドレインの一方は、前記第５のトランジスタのゲートに電気的に接続され、
前記第１２のトランジスタのソース又はドレインの他方は、前記第３の配線に電気的に接続され、
前記第１３のトランジスタのソース又はドレインの一方は、前記第１１のトランジスタのゲートに電気的に接続され、
前記第１３のトランジスタのソース又はドレインの他方は、前記第７の配線に電気的に接続され、
前記第１４のトランジスタのソース又はドレインの一方は、前記第１１のトランジスタのゲートに電気的に接続され、
前記第１４のトランジスタのソース又はドレインの他方は、前記第３の配線に電気的に接続され、
前記第１２のトランジスタのゲートは、前記第１４のトランジスタのゲートに電気的に接続され、
前記第１の配線は、第１の信号を伝達する機能を有し、
前記第２の配線は、第１のクロック信号を伝達する機能を有し、
前記第４の配線は、第２の信号を伝達する機能を有し、
前記第５の配線は、第２のクロック信号を伝達する機能を有し、
前記第６の配線は、第３の信号を伝達する機能を有し、
前記第１のトランジスタ乃至前記第１４のトランジスタは、同一のチャネル型である半導体装置。
【請求項３】
第１のトランジスタ乃至第１４のトランジスタを有し、
前記第１のトランジスタのソース又はドレインの一方は、第１の配線に電気的に接続され、
前記第１のトランジスタのソース又はドレインの他方は、第２の配線に電気的に接続され、
前記第２のトランジスタのソース又はドレインの一方は、前記第１の配線に電気的に接続され、
前記第２のトランジスタのソース又はドレインの他方は、第３の配線に電気的に接続され、
前記第３のトランジスタのソース又はドレインの一方は、前記第１のトランジスタのゲートに電気的に接続され、
前記第３のトランジスタのソース又はドレインの他方は、第４の配線に電気的に接続され、
前記第４のトランジスタのソース又はドレインの一方は、前記第４の配線に電気的に接続され、
前記第４のトランジスタのソース又はドレインの他方は、第５の配線に電気的に接続され、
前記第５のトランジスタのソース又はドレインの一方は、前記第４の配線に電気的に接続され、
前記第５のトランジスタのソース又はドレインの他方は、前記第３の配線に電気的に接続され、
前記第６のトランジスタのソース又はドレインの一方は、前記第４のトランジスタのゲートに電気的に接続され、
前記第６のトランジスタのソース又はドレインの他方は、第６の配線に電気的に接続され、
前記第７のトランジスタのソース又はドレインの一方は、前記第２のトランジスタのゲートに電気的に接続され、
前記第７のトランジスタのソース又はドレインの他方は、第７の配線に電気的に接続され、
前記第８のトランジスタのソース又はドレインの一方は、前記第２のトランジスタのゲートに電気的に接続され、
前記第８のトランジスタのソース又はドレインの他方は、前記第３の配線に電気的に接続され、
前記第９のトランジスタのソース又はドレインの一方は、前記第７のトランジスタのゲートに電気的に接続され、
前記第９のトランジスタのソース又はドレインの他方は、前記第７の配線に電気的に接続され、
前記第１０のトランジスタのソース又はドレインの一方は、前記第７のトランジスタのゲートに電気的に接続され、
前記第１０のトランジスタのソース又はドレインの他方は、前記第３の配線に電気的に接続され、
前記第８のトランジスタのゲートは、前記第１０のトランジスタのゲートに電気的に接続され、
前記第１１のトランジスタのソース又はドレインの一方は、前記第５のトランジスタのゲートに電気的に接続され、
前記第１１のトランジスタのソース又はドレインの他方は、前記第７の配線に電気的に接続され、
前記第１２のトランジスタのソース又はドレインの一方は、前記第５のトランジスタのゲートに電気的に接続され、
前記第１２のトランジスタのソース又はドレインの他方は、前記第３の配線に電気的に接続され、
前記第１３のトランジスタのソース又はドレインの一方は、前記第１１のトランジスタのゲートに電気的に接続され、
前記第１３のトランジスタのソース又はドレインの他方は、前記第７の配線に電気的に接続され、
前記第１４のトランジスタのソース又はドレインの一方は、前記第１１のトランジスタのゲートに電気的に接続され、
前記第１４のトランジスタのソース又はドレインの他方は、前記第３の配線に電気的に接続され、
前記第１２のトランジスタのゲートは、前記第１４のトランジスタのゲートに電気的に接続され、
前記第１のトランジスタ乃至前記第１４のトランジスタは、同一のチャネル型であり、
前記第１のトランジスタ乃至前記第１４のトランジスタは、画素部と同じ基板上に設けられている半導体装置。